(57)【要約】【課題】コイル導体の導体端部の接合を容易にすることができ、コイルエンド部を小型化することができるステータを提供すること。【解決手段】ステータ１は、ステータコア２に分布巻き状態で３相のコイル３Ｕ、３Ｖ、３Ｗを配設してなる。Ｕ相のコイル３Ｕにおける第１コイル導体４１Ａと第２コイル導体４１Ｂとの径方向Ｒの間には、他の２相であるＶ相及びＷ相のコイル３Ｖ、３Ｗにおけるターンを構成するコイル導体４１Ｅが配置してある。Ｕ相のコイル３Ｕにおける第１コイル導体４１Ａの導体端部４１２は、他の２相であるＶ相及びＷ相のコイル３Ｖ、３Ｗにおけるコイルエンド導体部３２同士の間に形成されたスペースＳ１を通って、Ｕ相のコイル３Ｕにおける第２コイル導体４１Ｂの導体端部４１１と接合してある。【選択図】図１
2010081771.tif 000002
【特許請求の範囲】
【請求項１】
ステータコアの軸方向に沿って形成した複数のスロットに、分布巻き状態でＵ相、Ｖ相及びＷ相の３相のコイルを配設してなるステータにおいて、
上記３相のコイルは、それぞれ上記ステータコアの周方向に巡回するコイル導体を上記ステータコアの径方向に重ねて配置してなり、
いずれかの相のコイルは、第１ターンを構成する第１コイル導体と、該第１コイル導体の径方向に位置して第２ターンを構成する第２コイル導体とを有しており、
上記いずれかの相のコイルにおける上記第１コイル導体と上記第２コイル導体との上記径方向の間には、他の２相のコイルにおけるターンを構成するコイル導体が配置してあり、
上記他の２相のコイルにおける上記コイル導体は、上記ステータコアの軸方向端面の外方に位置するコイルエンド導体部が上記周方向に並んで配置してあり、
上記いずれかの相のコイルにおける上記第１コイル導体の導体端部は、上記他の２相のコイルにおける上記コイルエンド導体部同士の間に形成されたスペースを通って、上記いずれかの相のコイルにおける上記第２コイル導体の導体端部と接合してあることを特徴とするステータ。
【請求項２】
請求項１において、上記各相のコイル導体は、角線導体から構成してあり、
上記いずれかの相のコイルにおける上記第１コイル導体の導体端部は、上記スペースを通って上記角線導体の略一本分の幅だけ上記径方向にオフセットすると共に、上記軸方向に２本重なって配置された上記他の２相のコイルにおける上記コイル導体に対して上記軸方向の外側にオフセットした状態で、上記いずれかの相のコイルにおける上記第２コイル導体の導体端部と接合してあることを特徴とするステータ。
【請求項３】
請求項２において、上記いずれかの相のコイルにおける上記第１コイル導体と上記第２コイル導体とは、同じ第１の上記スロットの上記径方向に並べて配置してあり、該第１のスロットの上記周方向に隣接する第２の上記スロットには、第３ターンを構成する第３コイル導体が配置してあり、
上記ステータコアの軸方向端面の外方において、上記第１コイル導体の上記コイルエンド導体部と上記第３コイル導体の上記コイルエンド導体部とは上記軸方向に重ねて配置してあり、
上記第３コイル導体の上記コイルエンド導体部は、上記スペースが形成された上記周方向の位置に対応して上記軸方向の外側へ突出する頂点部を有する山形状に形成してあり、
上記第１コイル導体の導体端部は、上記第３コイル導体の上記山形状の一方の斜面部に対する上記軸方向の内側の位置で上記軸方向に重ねて配置されると共に、該軸方向に重なる状態から、上記スペースを通って上記角線導体の略一本分の幅だけ上記径方向にオフセットしていることを特徴とするステータ。
【請求項４】
請求項３において、上記第２のスロットには、上記第３コイル導体の上記径方向に並べて、第４ターンを構成する第４コイル導体が配置してあり、
上記ステータコアの軸方向端面の外方において、上記第２コイル導体の上記コイルエンド導体部と上記第４コイル導体の上記コイルエンド導体部とは上記軸方向に重ねて配置してあり、
上記第２コイル導体の導体端部は、上記第４コイル導体のコイルエンド導体部に対して上記軸方向の外側にオフセットしていることを特徴するステータ。
【請求項５】
請求項２〜４のいずれか一項において、上記第１コイル導体は、該第１コイル導体を構成する上記角線導体の略四角形状における面方向に沿って屈曲してあることを特徴とするステータ。
【請求項６】
請求項１〜５のいずれか一項において、上記各相のコイルは、上記周方向に隣接する２つのスロットに同相のコイルが配設されるように、上記周方向に二巡する波巻形状のコイル導体を上記径方向に複数重ねて配置してなることを特徴とするステータ。
【請求項７】
請求項４において、上記各相のコイル導体は、上記スロット内に配置するスロット導体部と、上記ステータコアの軸方向端面の外方に配置するコイルエンド導体部とを連結すると共に、上記スロット導体部の軸方向一方側と他方側とに交互に上記コイルエンド導体部を複数回連結して上記二巡波巻形状にそれぞれ形成してあり、
上記ステータコアの軸方向一方側に位置するＶ相の上記コイルエンド導体部は、その周方向の中心部分において屈曲して、周方向一方側に位置すると共に径方向外周側に位置するＶ相外周側導体部分と、周方向他方側に位置すると共に径方向内周側に位置するＶ相内周側導体部分とを有する形状に形成してあり、
上記ステータコアの軸方向一方側に位置するＵ相の上記コイルエンド導体部は、その周方向一方側導体部分を、上記Ｖ相内周側導体部分の外周側に重ねると共に、その周方向他方側導体部分を、上記Ｖ相内周側導体部分の周方向他方側に隣接するＷ相の上記コイルエンド導体部の周方向一方側導体部分の外周側に重ねて配置してあり、
上記ステータコアの軸方向一方側に位置するＷ相の上記コイルエンド導体部は、その周方向他方側導体部分を、上記Ｖ相外周側導体部分の内周側に重ねると共に、その周方向一方側導体部分を、上記Ｖ相外周側導体部分の周方向一方側に隣接するＵ相の上記コイルエンド導体部の周方向他方側導体部分の内周側に重ねて配置してあり、
上記第１コイル導体、上記第２コイル導体、上記第３コイル導体及び上記第４コイル導体を構成するコイルは、Ｕ相とＷ相のコイルであり、
上記Ｕ相の少なくともいずれかの二巡波巻形状のコイル導体のコイルエンド導体部においては、上記Ｖ相内周側導体部分の周方向他方側の端部と、該周方向他方側の端部に隣接するＷ相の上記コイルエンド導体部の周方向一方側導体部分の端部との間のスペースにおいて、上記第１コイル導体を屈曲させて上記第２コイル導体側にオフセットしており、
上記Ｗ相の少なくともいずれかの二巡波巻形状のコイル導体のコイルエンド導体部においては、上記Ｖ相内周側導体部分の周方向一方側の端部と、該周方向一方側の端部に隣接するＵ相の上記コイルエンド導体部の周方向他方側導体部分の端部との間のスペースにおいて、上記第１コイル導体を屈曲させて上記第２コイル導体側にオフセットしていることを特徴とするステータ。
【発明の詳細な説明】
【技術分野】
【０００１】
本発明は、ステータコアにおける複数のスロットに、分布巻き状態でＵ相、Ｖ相及びＷ相の３相のコイル導体を配設してなるステータに関する。
【背景技術】
【０００２】
回転電機に用いるステータにおいては、組付性、導体のスロット内における占有率等の向上を図るために、略四角形状の断面を有する角線導体を使用し、波巻形状に形成したＵ相、Ｖ相及びＷ相の３相のコイル導体をそれぞれステータコアのスロット内に分布巻き状態で配置することが行われている。
例えば、特許文献１の交流回転電機においては、固定子鉄心（ステータ）を２周以上周回するベルト状の巻線帯と、同相端部同士を接続する複数本の渡り導体部と、巻線帯の導体線に対して別体に形成されて巻線帯の端部に接合されるかあるいは巻線帯の導体線の一部により構成される同階層渡り部とを有するステータコイルを用いている。また、巻線帯は、それぞれ所定の電気角離れたスロットに順次収容されるとともに並列に配列された複数本の導体線により構成されている。
【０００３】
また、上記従来のステータにおいては、同相のコイル導体（巻線帯）の端部を接合する際には、別途準備した渡線導体を用いて接合している。コイル導体を、ステータコアを巡回する必要な巡回数連なった波巻形状に成形するよりも、渡線導体で接合した方が製造が容易であると考えられていたためである。
【０００４】
【特許文献１】特開２００８−１１３５３９号公報
【発明の開示】
【発明が解決しようとする課題】
【０００５】
しかしながら、渡線導体を別途用いると、部品点数が増加してしまう。さらに、渡線導体を接合する部分が多くなり、この接合に要する手間を減少させるためには十分でない。
また、渡線導体を用いてコイル導体の接合を行うと、コイル導体及び渡線導体によってステータコアの軸方向端面から突出して形成されたコイルエンド部が大きくなり、このコイルエンド部の小型化を図るためには十分ではない。
【０００６】
本発明は、かかる従来の問題点に鑑みてなされたもので、コイル導体の導体端部の接合を容易にすることができ、コイルエンド部を小型化することができるステータを提供しようとするものである。
【課題を解決するための手段】
【０００７】
本発明は、ステータコアの軸方向に沿って形成した複数のスロットに、分布巻き状態でＵ相、Ｖ相及びＷ相の３相のコイルを配設してなるステータにおいて、
上記３相のコイルは、それぞれ上記ステータコアの周方向に巡回するコイル導体を上記ステータコアの径方向に重ねて配置してなり、
いずれかの相のコイルは、第１ターンを構成する第１コイル導体と、該第１コイル導体の径方向に位置して第２ターンを構成する第２コイル導体とを有しており、
上記いずれかの相のコイルにおける上記第１コイル導体と上記第２コイル導体との上記径方向の間には、他の２相のコイルにおけるターンを構成するコイル導体が配置してあり、
上記他の２相のコイルにおける上記コイル導体は、上記ステータコアの軸方向端面の外方に位置するコイルエンド導体部が上記周方向に並んで配置してあり、
上記いずれかの相のコイルにおける上記第１コイル導体の導体端部は、上記他の２相のコイルにおける上記コイルエンド導体部同士の間に形成されたスペースを通って、上記いずれかの相のコイルにおける上記第２コイル導体の導体端部と接合してあることを特徴とするステータにある（請求項１）。
【０００８】
本発明のステータは、分布巻き状態のＵ相、Ｖ相及びＷ相の３相のコイルを有しており、複数のターンのコイル導体（ステータコアの周方向を複数回巡回するコイル導体）を接合する際の工夫を行っている。
具体的には、分布巻き状態のステータにおいては、いずれかの相のコイルにおいて径方向に並ぶ各ターンを構成するコイル導体同士の間には、他の２相のコイルにおけるコイル導体が配置されている。そして、ステータコアの径方向に重ねて配置されたいずれかの相のコイルにおけるコイル導体同士は、他の２相のコイルにおけるコイルエンド導体部同士の間に形成されたスペースを通って接合してある。
なお、本発明では、ステータにおいて、第１ターンを構成するコイル導体を第１コイル導体、第２ターンを構成するコイル導体を第２コイル導体としている。
【０００９】
そのため、本発明のステータにおいては、渡線導体等を別途用いる必要がなく、部品点数を減少させることができる。また、渡線導体等を用いる場合には、渡線導体等の両端部においてコイル導体の導体端部と接合する必要があった。これに対し、本発明のようにコイル導体同士を直接接合することにより、接合箇所を略半減させることができる。これにより、ステータの生産性を向上させることができる。
また、３相のコイルの一部がステータコアの軸方向端面から突出してなるコイルエンド部においては、いずれかの相のコイルにおけるコイル導体同士を接合する導体端部が、軸方向の外側に突出する量を小さくすることができる。また、渡線導体等を別途用いないことにより、上記導体端部の軸方向の外側への突出量をさらに小さくすることができる。
これにより、ステータにおけるコイルエンド部を軸方向に小型化することができる。
【００１０】
それ故、本発明のステータによれば、コイル導体の導体端部の接合を容易にすることができ、コイルエンド部を小型化することができる。
【発明を実施するための最良の形態】
【００１１】
上述した本発明における好ましい実施の形態につき説明する。
本発明において、上記ステータは、回転電機としてのモータ、ジェネレータ、モータジェネレータに用いるものとすることができる。
また、上記３相のコイル導体を構成する角線導体は、それぞれ断面略四角形状を有する平角線、又は断面扁平形状を有する平角線等の電線とすることができる。また、角線導体は、銅等からなる導体部の全周に、絶縁樹脂等からなる絶縁被膜を形成した電線から構成することができる。
【００１２】
また、上記各相のコイル導体は、角線導体から構成してあり、上記いずれかの相のコイルにおける上記第１コイル導体の導体端部は、上記スペースを通って上記角線導体の略一本分の幅だけ上記径方向にオフセットすると共に、上記軸方向に２本重なって配置された上記他の２相のコイルにおける上記コイル導体に対して上記軸方向の外側にオフセットした状態で、上記いずれかの相のコイルにおける上記第２コイル導体の導体端部と接合してあることが好ましい（請求項２）。
この場合には、いずれかの相のコイルにおける第１コイル導体の導体端部を、必要な量だけ径方向及び軸方向にオフセットして、同相の第２コイル導体の導体端部と接合することができる。これにより、ステータにおけるコイルエンド部を、径方向及び軸方向にさらに小型化することができる。
なお、上記径方向にオフセットする角線導体の略一本分の幅とは、角線導体の径方向における略一本分の幅のことを意味する。
【００１３】
また、上記いずれかの相のコイルにおける上記第１コイル導体と上記第２コイル導体とは、同じ第１の上記スロットの上記径方向に並べて配置してあり、該第１のスロットの上記周方向に隣接する第２の上記スロットには、第３ターンを構成する第３コイル導体が配置してあり、上記ステータコアの軸方向端面の外方において、上記第１コイル導体の上記コイルエンド導体部と上記第３コイル導体の上記コイルエンド導体部とは上記軸方向に重ねて配置してあり、上記第３コイル導体の上記コイルエンド導体部は、上記スペースが形成された上記周方向の位置に対応して上記軸方向の外側へ突出する頂点部を有する山形状に形成してあり、上記第１コイル導体の導体端部は、上記第３コイル導体の上記山形状の一方の斜面部に対する上記軸方向の内側の位置で上記軸方向に重ねて配置されると共に、該軸方向に重なる状態から、上記スペースを通って上記角線導体の略一本分の幅だけ上記径方向にオフセットしていることが好ましい（請求項３）。
【００１４】
この場合には、いずれかの相のコイルにおいて、第１コイル導体のコイルエンド導体部と第３コイル導体のコイルエンド導体部とが軸方向に重ねて配置されるときに、第１コイル導体の導体端部を、第３コイル導体のコイルエンド導体部との干渉を避けて、容易に第２コイル導体の導体端部と接合することができる。これにより、ステータにおけるコイルエンド部を、径方向及び軸方向にさらに小型化することができる。
なお、上記径方向にオフセットする角線導体の略一本分の幅とは、角線導体の径方向における略一本分の幅のことを意味する。
【００１５】
また、上記第２のスロットには、上記第３コイル導体の上記径方向に並べて、第４ターンを構成する第４コイル導体が配置してあり、上記ステータコアの軸方向端面の外方において、上記第２コイル導体の上記コイルエンド導体部と上記第４コイル導体の上記コイルエンド導体部とは上記軸方向に重ねて配置してあり、上記第２コイル導体の導体端部は、上記第４コイル導体のコイルエンド導体部に対して上記軸方向の外側にオフセットしていることが好ましい（請求項４）。
この場合には、第１コイル導体のコイルエンド導体部及び第３コイル導体のコイルエンド導体部を整列して配置することができると共に、第２コイル導体のコイルエンド導体部及び第４コイル導体のコイルエンド導体部も整列して配列することができる。これにより、ステータにおけるコイルエンド部をさらに小型化することができる。
【００１６】
また、上記第１コイル導体は、該第１コイル導体を構成する上記角線導体の略四角形状における面方向に沿って屈曲してあることが好ましい（請求項５）。
この場合には、コイル導体を構成する角線導体を捻っていないため、角線導体の表面に設けられた絶縁被膜が破壊され難くすることができる。
【００１７】
また、上記各相のコイルは、上記周方向に隣接する２つのスロットに同相のコイルが配置されるように、上記周方向に二巡する波巻形状のコイル導体を上記径方向に複数重ねて配置してなることが好ましい（請求項６）。
この場合には、波巻形状のコイル導体を用いることにより、上記コイル導体の導体端部の接合の容易化、及びコイルエンド部の小型化による効果を顕著に得ることができる。
【００１８】
また、上記各相のコイル導体は、上記スロット内に配置するスロット導体部と、上記ステータコアの軸方向端面の外方に配置するコイルエンド導体部とを連結すると共に、上記スロット導体部の軸方向一方側と他方側とに交互に上記コイルエンド導体部を複数回連結して上記二巡波巻形状にそれぞれ形成してあり、上記ステータコアの軸方向一方側に位置するＶ相の上記コイルエンド導体部は、その周方向の中心部分において屈曲して、周方向一方側に位置すると共に径方向外周側に位置するＶ相外周側導体部分と、周方向他方側に位置すると共に径方向内周側に位置するＶ相内周側導体部分とを有する形状に形成してあり、上記ステータコアの軸方向一方側に位置するＵ相の上記コイルエンド導体部は、その周方向一方側導体部分を、上記Ｖ相内周側導体部分の外周側に重ねると共に、その周方向他方側導体部分を、上記Ｖ相内周側導体部分の周方向他方側に隣接するＷ相の上記コイルエンド導体部の周方向一方側導体部分の外周側に重ねて配置してあり、上記ステータコアの軸方向一方側に位置するＷ相の上記コイルエンド導体部は、その周方向他方側導体部分を、上記Ｖ相外周側導体部分の内周側に重ねると共に、その周方向一方側導体部分を、上記Ｖ相外周側導体部分の周方向一方側に隣接するＵ相の上記コイルエンド導体部の周方向他方側導体部分の内周側に重ねて配置してあり、上記第１コイル導体、上記第２コイル導体、上記第３コイル導体及び上記第４コイル導体を構成するコイルは、Ｕ相とＷ相のコイルであり、上記Ｕ相の少なくともいずれかの二巡波巻形状のコイル導体のコイルエンド導体部においては、上記Ｖ相内周側導体部分の周方向他方側の端部と、該周方向他方側の端部に隣接するＷ相の上記コイルエンド導体部の周方向一方側導体部分の端部との間のスペースにおいて、上記第１コイル導体を屈曲させて上記第２コイル導体側にオフセットしており、上記Ｗ相の少なくともいずれかの二巡波巻形状のコイル導体のコイルエンド導体部においては、上記Ｖ相内周側導体部分の周方向一方側の端部と、該周方向一方側の端部に隣接するＵ相の上記コイルエンド導体部の周方向他方側導体部分の端部との間のスペースにおいて、上記第１コイル導体を屈曲させて上記第２コイル導体側にオフセットしていることが好ましい（請求項７）。
この場合には、コイルエンド導体部が略二本分の径方向の幅の範囲内で、３相のコイル導体を交互に配置することができ、３相のコイルエンド導体部から形成したコイルエンド部を径方向に小型化することができる。
【００１９】
なお、Ｖ相の二巡波巻形状のコイル導体におけるコイルエンド導体部については、Ｖ相外周側導体部分とＶ相内周側導体部分とが、コイルエンド導体部の略一本分の径方向の幅の間隔だけ径方向にオフセットして形成されている。そのため、Ｖ相のコイルにおいては、第１コイル導体をオフセットする構成にしなくても、少ない接合箇所で導体端部同士を接合することができる。
【実施例】
【００２０】
以下に、本発明のステータにかかる実施例につき、図面を参照して説明する。
本例のステータ１は、図１〜図５に示すごとく、ステータコア２の軸方向Ｌに沿って形成した複数のスロット２１に、分布巻き状態でＵ相、Ｖ相及びＷ相の３相のコイル３Ｕ、３Ｖ、３Ｗを配設してなる。
３相のコイル３Ｕ、３Ｖ、３Ｗは、それぞれステータコア２の周方向Ｃに巡回するコイル導体４１をステータコア２の径方向Ｒに重ねて配置してなる。
【００２１】
図８、図１２、図１３に示すごとく、本例のＵ相のコイル３Ｕは、第１ターンを構成する第１コイル導体４１Ａと、第１コイル導体４１Ａの径方向Ｒに位置して第２ターンを構成する第２コイル導体４１Ｂとを有している。Ｕ相のコイル３Ｕにおける第１コイル導体４１Ａと第２コイル導体４１Ｂとの径方向Ｒの間には、他の２相であるＶ相及びＷ相のコイル３Ｖ、３Ｗにおけるターンを構成するコイル導体４１Ｅが配置してある。
他の２相であるＶ相及びＷ相のコイル３Ｖ、３Ｗにおけるコイル導体４１Ｅは、ステータコア２の軸方向端面２０１の外方に位置するコイルエンド導体部３２が周方向Ｃに並んで配置してある。Ｕ相のコイル３Ｕにおける第１コイル導体４１Ａの導体端部（オフセット用導体端部）４１２は、他の２相であるＶ相及びＷ相のコイル３Ｖ、３Ｗにおけるコイルエンド導体部３２同士の間に形成されたスペースＳ１を通って、Ｕ相のコイル３Ｕにおける第２コイル導体４１Ｂの導体端部（接合用導体端部）４１１と接合してある。
【００２２】
ここで、図１２は、第１コイル導体４１Ａのオフセット用導体端部４１２がスペースＳ１を通って第２コイル導体４１Ｂが位置する周方向外周側Ｒ１へオフセットする状態を、ステータコア２の軸方向一方側Ｌ１から見た状態で模式的に示す図である。図１３は、第１コイル導体４１Ａのオフセット用導体端部４１２がスペースＳ１を通って第２コイル導体４１Ｂが位置する周方向外周側Ｒ１へオフセットする状態を、ステータコア２の径方向内周側Ｒ２から見た状態で模式的に示す図である。また同図においては、下側に最内周側の二巡波巻形状のコイル導体組４Ｃの配置位置を示し、上側に中間位置の二巡波巻形状のコイル導体組４Ｂの配置位置を示す。
【００２３】
また、本例のＷ相のコイル３Ｗも、第１ターンを構成する第１コイル導体４１Ａと、第１コイル導体４１Ａの径方向Ｒに位置して第２ターンを構成する第２コイル導体４１Ｂとを有している。Ｗ相のコイル３Ｗにおける第１コイル導体４１Ａと第２コイル導体４１Ｂとの径方向Ｒの間には、他の２相であるＵ相及びＶ相のコイル３Ｕ、３Ｖにおけるターンを構成するコイル導体４１Ｅが配置してある。
他の２相であるＵ相及びＶ相のコイル３Ｕ、３Ｖにおける第１コイル導体４１Ａは、ステータコア２の軸方向端面２０１の外方に位置するコイルエンド導体部３２が周方向Ｃに並んで配置してある。Ｗ相のコイル３Ｗにおける第１コイル導体４１Ａの導体端部（オフセット用導体端部）４１２は、他の２相であるＵ相及びＶ相のコイル３Ｕ、３Ｖにおけるコイルエンド導体部３２同士の間に形成されたスペースＳ２を通って、Ｗ相のコイル３Ｗにおける第２コイル導体４１Ｂの導体端部（接合用導体端部）４１１と接合してある。
【００２４】
以下に、本例のステータ１につき、図１〜図１８を参照して詳説する。
本例のステータ１は、ハイブリッドカー又は電気自動車等の３相交流モータに用いるものである。
図６に示すごとく、本例の３相のコイル３Ｕ、３Ｖ、３Ｗの各コイル導体４１を構成する角線導体３０１は、それぞれ断面略四角形状を有する平角線（電線）からなる。また、角線導体３０１は、銅からなる導体部の全周に、絶縁樹脂からなる絶縁被膜を形成した電線からなる。
【００２５】
各相のコイル３Ｕ、３Ｖ、３Ｗは、図６、図７に示すごとく、１本の角線導体３０１を連続して波巻形状に屈曲成形することにより、ステータコア２の周方向Ｃを一巡する一方のコイル導体４１（第１コイル導体４１Ａ又は第３コイル導体４１Ｃを構成する。）と、ステータコア２の周方向Ｃをさらに一巡する他方のコイル導体４１（第２コイル導体４１Ｂ又は第４コイル導体４１Ｄを構成する。）とを有する二巡波巻形状のコイル導体組４Ｕ、４Ｖ、４Ｗを連結してそれぞれ構成してある。
【００２６】
各相のコイル導体組４Ｕ、４Ｖ、４Ｗは、スロット２１内に配置するスロット導体部３１と、ステータコア２の軸方向端面２０１の外方に配置するコイルエンド導体部３２とを連結すると共に、スロット導体部３１の軸方向一方側Ｌ１と軸方向他方側Ｌ２とに交互にコイルエンド導体部３２を複数回連結して二巡波巻形状にそれぞれ形成してある。コイルエンド導体部３２は、ステータコア２の周方向Ｃに沿って配置する部分と、スロット導体部３１から連続してステータコア２の軸方向端面２０１から立ち上がる部分とから形成してある。
【００２７】
図４に示すごとく、ステータコア２の軸方向一方側Ｌ１に位置するＶ相のコイルエンド導体部３２Ｖである一方側コイルエンド導体部３２Ｖは、その周方向Ｃの中心部分において角線導体３０１の面方向に沿って屈曲して、周方向一方側Ｃ１に位置すると共に径方向外周側Ｒ１に位置するＶ相外周側導体部分３２１Ｖと、周方向他方側Ｃ２に位置すると共に径方向内周側Ｒ２に位置するＶ相内周側導体部分３２２Ｖとを有する形状に形成してある。
【００２８】
ステータコア２の軸方向一方側Ｌ１に位置するＵ相のコイルエンド導体部３２Ｕである一方側コイルエンド導体部３２Ｕは、その周方向一方側導体部分３２１Ｕを、Ｖ相内周側導体部分３２２Ｖの外周側Ｒ１に重ねると共に、その周方向他方側導体部分３２２Ｕを、Ｖ相内周側導体部分３２２Ｖの周方向他方側Ｃ２に隣接するＷ相のコイルエンド導体部３２Ｗの周方向一方側導体部分３２１Ｗの外周側Ｒ１に重ねて配置してある。
ステータコア２の軸方向一方側Ｌ１に位置するＷ相のコイルエンド導体部３２Ｗである一方側コイルエンド導体部３２Ｗは、その周方向他方側導体部分３２２Ｗを、Ｖ相外周側導体部分３２１Ｖの内周側Ｒ２に重ねると共に、その周方向一方側導体部分３２１Ｗを、Ｖ相外周側導体部分３２１Ｖの周方向一方側Ｃ１に隣接するＵ相のコイルエンド導体部３２Ｕの周方向他方側導体部分３２２Ｕの内周側Ｒ２に重ねて配置してある。
【００２９】
図１、図３、図１２に示すごとく、Ｕ相のいくつかの二巡波巻形状のコイル導体組４Ｕの一方側コイルエンド導体部３２Ｕにおいては、第１コイル導体４１Ａの導体端部（オフセット用導体端部という。）４１２を、第３コイル導体４１Ｃのコイルエンド導体部３２の一つである交錯用コイルエンド導体部３２Ａに対して、径方向外周側Ｒ１に交錯して配置して、当該二巡波巻形状のコイル導体組４Ｕの径方向外周側Ｒ１に重ねて配置した他の同相の二巡波巻形状のコイル導体組４Ｕにおける第２コイル導体４１Ｂの接合用導体端部４１１と直接接合している。この各コイル導体４１Ａ、４１Ｂの導体端部４１１、４１２の直接接合は、Ｖ相内周側導体部分３２２Ｖの周方向他方側Ｃ２の端部３２６Ｖと、周方向他方側Ｃ２の端部に隣接するＷ相のコイルエンド導体部３２Ｗの周方向一方側導体部分３２１Ｗの端部３２５Ｗとの間のスペースＳ１において、第１コイル導体４１Ａを径方向外周側Ｒ１に屈曲させて第２コイル導体４１Ｂ側にオフセットさせて行っている。
【００３０】
図１３に示すごとく、Ｕ相のコイル３Ｕにおける第１コイル導体４１Ａの導体端部４１２は、スペースＳ１を通って角線導体３０１の略一本分の幅だけ径方向Ｒにオフセットすると共に、軸方向Ｌに２本重なって配置された他の２相であるＶ相及びＷ相のコイル３Ｖ、３Ｗにおけるコイル導体４１Ｅに対して軸方向Ｌの外側にオフセットした状態で、Ｕ相のコイル３Ｕにおける第２コイル導体４１Ｂの導体端部４１１と接合してある。
【００３１】
また、図１４は、図３の一部を拡大して示す図であり、第１コイル導体４１Ａのオフセット用導体端部４１２がスペースＳ１を通って第２コイル導体４１Ｂが位置する周方向外周側Ｒ１へオフセットする状態を拡大して、ステータコア２の軸方向一方側Ｌ１から見た状態で示す図である。図１５は、図１４におけるＡ−Ａ線矢視断面を示す図であり、図１６は、図１４におけるＢ−Ｂ線矢視断面を示す図である。
【００３２】
また、図１、図３に示すごとく、Ｗ相のいくつかの二巡波巻形状のコイル導体組４Ｗの一方側コイルエンド導体部３２Ｗにおいては、第１コイル導体４１Ａの導体端部（オフセット用導体端部という。）４１２を、第３コイル導体４１Ｃのコイルエンド導体部３２の一つである交錯用コイルエンド導体部３２Ａに対して、径方向外周側Ｒ１に交錯して配置して、当該二巡波巻形状のコイル導体組４Ｕの径方向外周側Ｒ１に重ねて配置した他の同相の二巡波巻形状のコイル導体組４Ｗにおける第２コイル導体４１Ｂの接合用導体端部４１１と直接接合している。この各コイル導体４１Ａ、４１Ｂの導体端部４１１、４１２の直接接合は、Ｖ相内周側導体部分３２２Ｖの周方向一方側Ｃ１の端部３２５Ｖと、周方向一方側Ｃ１の端部に隣接するＵ相のコイルエンド導体部３２Ｕの周方向他方側導体部分３２２Ｕの端部３２６Ｕとの間のスペースＳ２において、第１コイル導体４１Ａを径方向外周側Ｒ１に屈曲させて第２コイル導体４１Ｂ側にオフセットさせて行っている。
【００３３】
Ｗ相のコイル３Ｗにおける第１コイル導体４１Ａの導体端部４１２は、スペースＳ２を通って角線導体３０１の略一本分の幅だけ径方向Ｒにオフセットすると共に、軸方向Ｌに２本重なって配置された他の２相であるＵ相及びＶ相のコイル３Ｕ、３Ｖにおけるコイル導体４１Ｅに対して軸方向Ｌの外側にオフセットした状態で、Ｗ相のコイル３Ｗにおける第２コイル導体４１Ｂの導体端部４１１と接合してある。
【００３４】
図３、図４に示すごとく、ステータコア２における複数のスロット２１は、Ｕ相のコイル３Ｕにおけるスロット導体部３１Ｕを配置したＵ相のスロット２１Ｕと、Ｖ相のコイル３Ｖにおけるスロット導体部３１Ｖを配置したＶ相のスロット２１Ｖと、Ｗ相のコイル３Ｗにおけるスロット導体部３１Ｗを配置したＷ相のスロット２１Ｗとが、２つずつステータコア２の周方向Ｃに隣接して設けてある。
図９に示すごとく、各相のコイル３Ｕ、３Ｖ、３Ｗのスロット導体部３１をスロット２１内に配置する前には、各スロット２１内にスロット用絶縁紙５１を配置しておくことができる。
【００３５】
図６、図７に示すごとく、各相のコイル３Ｕ、３Ｖ、３Ｗの各コイル導体４１においては、コイルエンド導体部３２は、ステータコア２の軸方向一方側Ｌ１及び他方側Ｌ２において、それぞれ４つ形成されている。また、各コイル導体４１において、スロット導体部３１は、それぞれ８つ形成されている。
【００３６】
図１、図６に示すごとく、各相の二巡波巻形状のコイル導体組４Ｕ、４Ｖ、４Ｗは、第１コイル導体４１Ａのスロット導体部３１と第２コイル導体４１Ｂのスロット導体部３１とが、同相のスロット２１内に配置され、第３コイル導体４１Ｃのスロット導体部３１と第４コイル導体４１Ｄのスロット導体部３１とが、上記スロットに隣接する同相のスロット２１内にそれぞれ配置してある。
【００３７】
Ｖ相の二巡波巻形状のコイル導体組４Ｖは、すべてのコイルエンド導体部３２Ｖが、ステータコア２の軸方向Ｌに重なって配置してある。Ｕ相及びＷ相の二巡波巻形状のコイル導体組４Ｕ、４Ｗは、オフセット用導体端部４１２を構成するコイルエンド導体部３２Ｖと交錯用コイルエンド導体部３２Ａとを除く、残りのコイルエンド導体部３２Ｕ、３２Ｗが、ステータコア２の軸方向Ｌに重なって配置してある。
なお、Ｕ相及びＷ相のコイル３Ｕ、３Ｗにおいて、交錯用コイルエンド導体部３２Ａは、ステータコア２における軸方向一方側Ｌ１において形成されており、ステータコア２における軸方向他方側Ｌ２においては形成されていない。
【００３８】
図６、図７に示すごとく、本例のステータ１においては、各相のコイル３Ｕ、３Ｖ、３Ｗは、二巡波巻形状のコイル導体組４Ｕ、４Ｖ、４Ｗを３つ連結して形成してあり、合計６ターン（６つのターン構成部）を有している。各相のコイル３Ｕ、３Ｖ、３Ｗのコイル導体４１の導体端部４１１、４１２同士の接合は、溶接等の種々の方法によって行うことができる。
図１０に示すごとく、各相のコイル３Ｕ、３Ｖ、３Ｗにおいて、ステータコア２の最も外周側Ｒ１に配置される１ターン目（１Ｔ）と２ターン目（２Ｔ）を形成する最外周側の二巡波巻形状のコイル導体組４Ａは、上記交錯用コイルエンド導体部３２Ａを有しておらず、２ターン目（２Ｔ）を構成するコイル導体４１の接合用導体端部４１１は、他のコイルエンド導体部３２よりも軸方向Ｌの外側に、コイルエンド導体部３２の略一本分の軸方向Ｌの幅の間隔だけオフセットした軸方向Ｌの外側位置に配置してある（図１、図２参照）。
【００３９】
図６、図１１に示すごとく、各相のコイル３Ｕ、３Ｖ、３Ｗにおいて、最外周側の二巡波巻形状のコイル導体組４Ａの内周側Ｒ２に配置される３ターン目（３Ｔ）と４ターン目（４Ｔ）を形成する中間位置の二巡波巻形状のコイル導体組４Ｂは、一方のコイル導体４１の４つ（周方向Ｃの４箇所）の一方側コイルエンド導体部３２のうちの１つが上記交錯用コイルエンド導体部３２Ａとして形成されている。
そして、図７、図８に示すごとく、中間位置の二巡波巻形状のコイル導体組４Ｂにおいて３ターン目（３Ｔ）を構成するコイル導体４１のオフセット用導体端部４１２は、４ターン目（４Ｔ）を構成するコイル導体４１の交錯用コイルエンド導体部３２Ａと交錯して配置され、最外周側の二巡波巻形状のコイル導体組４Ａにおいて２ターン目（２Ｔ）を構成するコイル導体４１の接合用導体端部４１１と接合されている。
【００４０】
また、図７、図８に示すごとく、各相のコイル３Ｕ、３Ｖ、３Ｗにおいて、中間位置の二巡波巻形状のコイル導体組４Ｂの内周側Ｒ２に配置される５ターン目（５Ｔ）と６ターン目（６Ｔ）を形成する最内周側の二巡波巻形状のコイル導体組４Ｃは、一方のコイル導体４１の４つ（周方向Ｃの４箇所）の一方側コイルエンド導体部３２のうちの１つが上記交錯用コイルエンド導体部３２Ａとして形成されている。
そして、最内周側の二巡波巻形状のコイル導体組４Ｃにおいて５ターン目（５Ｔ）を構成するコイル導体４１のオフセット用導体端部４１２は、６ターン目（６Ｔ）を構成するコイル導体４１の交錯用コイルエンド導体部３２Ａと交錯して配置され、中間位置の二巡波巻形状のコイル導体組４Ｂにおいて４ターン目（４Ｔ）を構成するコイル導体４１の接合用導体端部４１１と接合されている（図２参照）。
【００４１】
図１、図２、図１３に示すごとく、Ｕ相の二巡波巻形状のコイル導体組４Ｕにおけるコイル導体４１のオフセット用導体端部４１２と、当該二巡波巻形状のコイル導体組４Ｕの径方向Ｒに重ねて配置した他の同相の二巡波巻形状のコイル導体組４Ｕにおける一方のコイル導体４１の接合用導体端部４１１とは、Ｖ相のコイル導体４Ｖにおけるコイルエンド導体部３２Ｖよりも、コイルエンド導体部３２の略一本分の軸方向Ｌの幅の間隔だけオフセットした軸方向Ｌの外側位置において直接接合してある。
また、Ｗ相の二巡波巻形状のコイル導体組４Ｗにおけるコイル導体４１のオフセット用導体端部４１２と、当該二巡波巻形状のコイル導体組４Ｗの径方向Ｒに重ねて配置した他の同相の二巡波巻形状のコイル導体組４Ｗにおけるコイル導体４１の接合用導体端部４１１とは、Ｖ相のコイル導体４Ｖにおけるコイルエンド導体部３２Ｖよりも、コイルエンド導体部３２の略一本分の軸方向Ｌの幅の間隔だけオフセットした軸方向Ｌの外側位置において直接接合してある。
【００４２】
図６〜図８、図１３に示すごとく、Ｕ相及びＷ相の３、４ターン目（３Ｔ、４Ｔ）を構成する中間位置の二巡波巻形状のコイル導体組４Ｂにおいては、４ターン目（４Ｔ）を構成するコイル導体４１の交錯用コイルエンド導体部３２Ａは、スペースＳ１、Ｓ２に対応してステータコア２の軸方向Ｌの外側へ突出する頂点部３２３を有する山形状に形成してある。そして、３ターン目（３Ｔ）を構成するコイル導体４１のオフセット用導体端部４１２は、山形状の一方の斜面部３２４に対する軸方向Ｌの内側の位置に重ねて配置し、頂点部３２３に対する軸方向Ｌの内側の位置において頂点部３２３に対して交錯して径方向外周側Ｒ１に屈曲させ、径方向外周側Ｒ１へコイルエンド導体部３２の略一本分の径方向Ｒの幅の間隔だけオフセットして周方向Ｃに沿って配置してある。
【００４３】
図６〜図８、図１３に示すごとく、Ｕ相及びＷ相の５、６ターン目（５Ｔ、６Ｔ）を構成する最内周側の二巡波巻形状のコイル導体組４Ｃにおいては、６ターン目（６Ｔ）を構成するコイル導体４１の交錯用コイルエンド導体部３２Ａは、スペースＳ１、Ｓ２に対応してステータコア２の軸方向Ｌの外側へ突出する頂点部３２３を有する山形状に形成してある。そして、５ターン目（５Ｔ）を構成するコイル導体４１のオフセット用導体端部４１２は、山形状の一方の斜面部３２４に対する軸方向Ｌの内側の位置に重ねて配置し、頂点部３２３に対する軸方向Ｌの内側の位置において頂点部３２３に対して交錯して径方向外周側Ｒ１に屈曲させ、径方向外周側Ｒ１へコイルエンド導体部３２の略一本分の径方向Ｒの幅の間隔だけオフセットして周方向Ｃに沿って配置してある。
【００４４】
図８に示すごとく、Ｕ相の二巡波巻形状のコイル導体組４Ｕにおけるコイル導体４１のオフセット用導体端部４１２は、このオフセット用導体端部４１２を構成する角線導体３０１の略四角形状における各面方向に沿って屈曲してある。このオフセット用導体端部４１２は、ステータコア２の径方向Ｒ及び周方向Ｃに向けて屈曲することによって形成してある。また、コイルエンド導体部３２を構成する角線導体３０１は、径方向Ｒの幅（厚み）が軸方向Ｌの幅（厚み）よりも小さくなっており、導体端部４１２は幅が薄い方に曲げるフラットワイズ曲げを行うことができる。
また、Ｗ相の二巡波巻形状のコイル導体組４Ｗにおけるコイル導体４１のオフセット用導体端部４１２も、Ｕ相のものと同様に、オフセット用導体端部４１２を構成する角線導体３０１の略四角形状における各面方向に沿って屈曲してある。
【００４５】
図４に示すごとく、本例のステータコア２の軸方向一方側Ｌ１又は軸方向他方側Ｌ２において、３相のコイルエンド導体部３２Ｕ、３２Ｖ、３２Ｗを配列して形成したコイルエンド部３０Ａ、３０Ｂにおいては、Ｖ相のコイルエンド導体部３２Ｖは、周方向Ｃの中心部分において屈曲して、Ｖ相外周側導体部分３２１ＶとＶ相内周側導体部分３２２Ｖとを有する形状に形成してある。また、Ｕ相のコイルエンド導体部３２Ｕは、その周方向一方側導体部分３２１ＵがＶ相内周側導体部分３２２Ｖの外周側Ｒ１に重ねて配置され、その周方向他方側導体部分３２２Ｕが、Ｗ相のコイルエンド導体部３２Ｗの周方向一方側導体部分３２１Ｗの外周側Ｒ１に重ねて配置されている。また、Ｗ相のコイルエンド導体部３２Ｗは、その周方向他方側導体部分３２２ＷがＶ相外周側導体部分３２１Ｖの内周側Ｒ２に重ねて配置され、その周方向一方側導体部分３２１Ｗが、Ｕ相のコイルエンド導体部３２Ｕの周方向他方側導体部分３２２Ｕの内周側Ｒ２に重ねて配置されている。
なお、本例の各図においては、軸方向一方側Ｌ１の一方側コイルエンド部を３０Ａで示し、軸方向他方側Ｌ２の他方側コイルエンド部を３０Ｂで示す。
【００４６】
これにより、本例のステータ１においては、コイルエンド導体部３２が略二本分の径方向Ｒの幅の範囲内で、３相のコイル導体組４Ｕ、４Ｖ、４Ｗを交互に配置することができ（図３、図４参照）、３相のコイルエンド導体部３２Ｕ、３２Ｖ、３２Ｗから形成したコイルエンド部３０Ａを径方向Ｒに小型化することができる。
【００４７】
そして、本例においては、Ｕ相及びＷ相の二巡波巻形状のコイル導体組４Ｕ、４Ｗにおいては、渡線導体等の別途導体を用いることなく、他の同相の二巡波巻形状のコイル導体組４Ｕ、４Ｗと直接接合するための工夫を行っている。すなわち、本例のＵ相及びＷ相の中間位置の二巡波巻形状のコイル導体組４Ｂにおいては、３ターン目（３Ｔ）を構成するコイル導体４１のオフセット用導体端部４１２を、４ターン目（４Ｔ）を構成するコイル導体４１の交錯用コイルエンド導体部３２Ａに対して、径方向外周側Ｒ１にオフセットして配置している。これにより、３ターン目（３Ｔ）を構成するコイル導体４１のオフセット用導体端部４１２を、コイルエンド導体部３２の略一本分の径方向Ｒの幅の間隔だけ径方向外周側Ｒ１にオフセットして、同相の最外周側の二巡波巻形状のコイル導体組４Ａにおける２ターン目（２Ｔ）を構成するコイル導体４１の接合用導体端部４１１と直接接合することができる。
【００４８】
また、本例のＵ相及びＷ相の最内周側の二巡波巻形状のコイル導体組４Ｃにおいては、５ターン目（５Ｔ）を構成するコイル導体４１のオフセット用導体端部４１２を、６ターン目（６Ｔ）を構成するコイル導体４１の交錯用コイルエンド導体部３２Ａに対して、径方向外周側Ｒ１にオフセットして配置している。これにより、５ターン目（５Ｔ）を構成するコイル導体４１のオフセット用導体端部４１２を、コイルエンド導体部３２の略一本分の径方向Ｒの幅の間隔だけ径方向外周側Ｒ１にオフセットして、同相の中間位置の二巡波巻形状のコイル導体組４Ｂにおける４ターン目（４Ｔ）を構成するコイル導体４１の接合用導体端部４１１と直接接合することができる。
【００４９】
そのため、本例のステータ１においては、渡線導体等を別途用いる必要がなく、部品点数を減少させることができる。また、渡線導体等を用いる場合には、渡線導体等の両端部においてコイル導体４の導体端部と接合する必要があった。これに対し、本例においては、オフセット用導体端部４１２を接合用導体端部４１１と直接接合することにより、接合箇所を略半減させることができる。これにより、ステータ１の生産性を向上させることができる。
【００５０】
なお、Ｖ相の二巡波巻形状のコイル導体組４Ｖにおけるコイルエンド導体部３２Ｖについては、Ｖ相外周側導体部分３２１ＶとＶ相内周側導体部分３２２Ｖとが、コイルエンド導体部３２の略一本分の径方向Ｒの幅の間隔だけ径方向Ｒにオフセットして形成されている。そのため、各コイル導体４１の導体端部４１２の径方向外周側Ｒ１へのオフセット配置を行わなくても、渡線導体等を用いることなく、少ない接合箇所で導体端部４１１、４１２同士を接合することができる。
【００５１】
また、Ｕ相の最内周側の二巡波巻形状のコイル導体組４Ｃにおいて、Ｕ相のコイル３Ｕの第１コイル導体（５ターン目（５Ｔ）を構成するコイル導体）４１Ａのオフセット用導体端部４１２は、Ｕ相のコイル３Ｕの第３コイル導体（６ターン目（６Ｔ）を構成するコイル導体）４１Ｃの交錯用コイルエンド導体部３２Ａに対して交錯し、Ｖ相のコイル３ＶのＶ相内周側導体部分３２２Ｖの周方向他方側Ｃ２の端部３２６Ｖと、これに隣接するＷ相のコイル３ＷのＷ相のコイルエンド導体部３２Ｗの周方向一方側導体部分３２１Ｗの端部３２５Ｗとの間に形成されたスペースＳ１を通って、Ｕ相のコイル３Ｕの第２コイル導体（４ターン目（４Ｔ）を構成するコイル導体）４１Ｂの接合用導体端部４１１と接合してある。
【００５２】
また、Ｗ相の最内周側の二巡波巻形状のコイル導体組４Ｃにおいて、Ｗ相のコイル３Ｗの第１コイル導体（５ターン目（５Ｔ）を構成するコイル導体）４１Ａのオフセット用導体端部４１２は、Ｗ相のコイル３Ｗの第３コイル導体（６ターン目（６Ｔ）を構成するコイル導体）４１Ｃの交錯用コイルエンド導体部３２Ａに対して交錯し、Ｖ相のコイル３ＶのＶ相内周側導体部分３２２Ｖの周方向一方側Ｃ１の端部３２５Ｖと、これに隣接するＵ相のコイル３ＵのＵ相のコイルエンド導体部３２Ｕの周方向他方側導体部分３２２Ｕの端部３２６Ｕとの間のスペースＳ２を通って、Ｗ相のコイル３Ｗの第２コイル導体（４ターン目（４Ｔ）を構成するコイル導体）４１Ｂの接合用導体端部４１１と接合してある。
【００５３】
こうして、上記スペースＳ１、Ｓ２を通して各ターン間のコイル導体４１の接合を行うことにより、３相のコイル３Ｕ、３Ｖ、３Ｗの一部がステータコア２の軸方向端面２０１から突出してなるコイルエンド部３０Ａにおいては、Ｕ相及びＷ相のコイル３Ｕ、３Ｗにおけるコイル導体４１同士を接合する導体端部４１１、４１２が、軸方向Ｌの外側に突出する量を小さくすることができる。また、渡線導体等を別途用いないことにより、上記導体端部４１１、４１２の軸方向Ｌの外側への突出量をさらに小さくすることができる。
そのため、ステータ１におけるコイルエンド部３０Ａを軸方向Ｌに小型化することができる。
【００５４】
本例のＵ相（Ｗ相）のコイル導体組４Ｕの第１コイル導体４１Ａのオフセット用導体端部４１２と、Ｕ相（Ｗ相）の他のコイル導体組４Ｕの第２コイル導体４Ｂの接合用導体端部４１１との接合は、各導体端部４１２、４１１が周方向Ｃに沿って配置された状態で、径方向Ｒに対面させて行うことができる。これにより、コイルエンド導体部３２がステータコア２の軸方向Ｌの外側へ突出する量を極力小さくすることができる。
【００５５】
また、本例においては、溶接治具等によって導体端部４１１、４１２をチャックする際には、このチャック部分をステータコア２の軸方向端面２０１の位置に近づけることができる。なお、図１９には、従来のコイル導体９を示す。同図において、９１、９２は各ターン構成部を示し、９３１、９３２はそれぞれスロット導体部及びコイルエンド導体部を示し、９５は渡線導体を示す。同図に示すごとく、渡線導体９５を用いる場合には、ステータ１におけるコイルエンド部３０Ａが軸方向Ｌに大きくなり、溶接治具等によるチャック位置もスタータコア２の軸方向端面２０１からより離れた位置になり、コイルエンド部３０Ａの小型化が困難である。
【００５６】
また、各導体端部４１２、４１１の接合スペースを大きくするためには、図１７に示すごとく、各導体端部４１２、４１１を軸方向Ｌの外側に斜めに傾斜して突出させた状態で、径方向Ｒに対面させて接合することもできる。
また、図１８に示すごとく、各導体端部４１２、４１１を径方向Ｒの外側に突出させた状態で、周方向Ｃに対面させて接合することもできる。
【００５７】
それ故、本例のステータ１によれば、コイル導体４の導体端部４１１、４１２の接合を容易にすることができ、コイルエンド部３０Ａを小型化することができる。
【図面の簡単な説明】
【００５８】
【図１】実施例における、ステータの軸方向一方側のコイルエンド部の周辺を拡大して示す斜視図。
【図２】実施例における、二巡波巻形状のコイル導体組を連結して形成した３相のコイルを備えたステータを拡大して示す斜視図。
【図３】実施例における、ステータの軸方向一方側のコイルエンド部において、交錯用コイルエンド導体部の周辺を拡大して示す平面図。
【図４】実施例における、ステータの軸方向一方側のコイルエンド部において、通常のコイルエンド導体部の周辺を拡大して示す平面図。
【図５】実施例における、ステータの軸方向一方側のコイルエンド部を示す平面図。
【図６】実施例における、Ｕ相又はＷ相のコイル導体を示す斜視図。
【図７】実施例における、Ｕ相又はＷ相のコイル導体を連結して形成したＵ相又はＷ相のコイルを示す斜視図。
【図８】実施例における、交錯用コイルエンド導体部の周辺を拡大して示す斜視図。
【図９】実施例における、ステータコアを示す斜視図。
【図１０】実施例における、ステータコアに最外周側の二巡波巻形状のコイル導体組を配置した状態を示す斜視図。
【図１１】実施例における、ステータコアに最外周側及び中間位置の二巡波巻形状のコイル導体組を配置した状態を示す斜視図。
【図１２】実施例における、第１コイル導体のオフセット用導体端部が、第２コイル導体が位置する周方向外周側へオフセットする状態を、ステータコアの軸方向一方側から見た状態で模式的に示す平面説明図。
【図１３】実施例における、第１コイル導体のオフセット用導体端部が、第２コイル導体が位置する周方向外周側へオフセットする状態を、ステータコアの径方向内周側から見た状態で模式的に示す正面説明図。
【図１４】実施例における、第１コイル導体のオフセット用導体端部が、第２コイル導体が位置する周方向外周側へオフセットする状態を拡大して、ステータコアの軸方向一方側から見た状態で示す平面図。
【図１５】実施例における、第１コイル導体のオフセット用導体端部の周辺を示す図で、図１４におけるＡ−Ａ線矢視断面図。
【図１６】実施例における、第１コイル導体のオフセット用導体端部の周辺を示す図で、図１４におけるＢ−Ｂ線矢視断面図。
【図１７】実施例における、二巡波巻形状のコイル導体組を連結して形成した３相のコイルを備えた他のステータを拡大して示す斜視図。
【図１８】実施例における、二巡波巻形状のコイル導体組を連結して形成した３相のコイルを備えた他のステータを拡大して示す斜視図。
【図１９】従来例における、各相のコイル導体を示す斜視図。
【符号の説明】
【００５９】
１  ステータ
２  ステータコア
２０１  軸方向端面
２１  スロット
３Ｕ、３Ｖ、３Ｗ  ３相のコイル
３０Ａ、３０Ｂ  コイルエンド部
３０１  角線導体
３１  スロット導体部
３２  コイルエンド導体部
３２Ａ  交錯用コイルエンド導体部
３２１Ｕ  周方向一方側導体部分
３２２Ｕ  周方向他方側導体部分
３２１Ｖ  Ｖ相外周側導体部分
３２２Ｖ  Ｖ相内周側導体部分
３２１Ｗ  周方向一方側導体部分
３２２Ｗ  周方向他方側導体部分
３２３  頂点部
３２４  斜面部
４Ａ、Ｂ、Ｃ  二巡波巻形状のコイル導体組
４Ｕ、４Ｖ、４Ｗ  ３相のコイル導体組
４１  コイル導体部
４１Ａ  第１コイル導体部
４１Ｂ  第２コイル導体部
４１Ｃ  第３コイル導体部
４１Ｄ  第４コイル導体部
４１１  接合用導体端部
４１２  オフセット用導体端部
Ｓ１、Ｓ２  スペース
Ｌ  軸方向
Ｌ１  軸方向一方側
Ｌ２  軸方向他方側
Ｒ  径方向
Ｒ１  径方向外周側
Ｒ２  径方向内周側
Ｃ  周方向
Ｃ１  周方向一方側
Ｃ２  周方向他方側
【図１】
2010081771.tif 000003
【図２】
2010081771.tif 000004
【図３】
2010081771.tif 000005
【図４】
2010081771.tif 000006
【図５】
2010081771.tif 000007
【図６】
2010081771.tif 000008
【図７】
2010081771.tif 000009
【図８】
2010081771.tif 000010
【図９】
2010081771.tif 000011
【図１０】
2010081771.tif 000012
【図１１】
2010081771.tif 000013
【図１２】
2010081771.tif 000014
【図１３】
2010081771.tif 000015
【図１４】
2010081771.tif 000016
【図１５】
2010081771.tif 000017
【図１６】
2010081771.tif 000018
【図１７】
2010081771.tif 000019
【図１８】
2010081771.tif 000020
【図１９】
2010081771.tif 000021